(57)【要約】【課題】複数のホスト機器と複数のデバイス機器が混在する環境において、ホスト機器に対してペアリングされて使用可能なデバイス機器を視認できるようにする。【解決手段】ホスト機器は、デバイス機器と無線接続されて使用する機器であって、電源投入時に、ホスト機器が保持している接続デバイス情報を取得する情報取得手段と、接続デバイス情報に基づいてペアリングされたデバイス機器に無線接続する接続手段と、ペアリングされたデバイス機器との対応関係が分かる共通の表示をする表示手段と、を有している。これにより、ホスト機器に対してペアリングされて使用可能なデバイス機器を視認することができる。【選択図】図１
2015176445.tif 000002
【特許請求の範囲】
【請求項１】
デバイス機器と無線接続されて使用するホスト機器であって、
電源投入時に、前記ホスト機器が保持している接続デバイス情報を取得する情報取得手段と、
前記接続デバイス情報に基づいてペアリングされたデバイス機器に無線接続する接続手段と、
ペアリングされたデバイス機器との対応関係が分かる共通の表示をする表示手段と、
を有することを特徴とするホスト機器。
【請求項２】
前記表示手段は、
前記ホスト機器の有する接続されたデバイス機器を示すＬＥＤの点滅間隔が前記デバイス機器の有する接続されたホスト機器を示す独自のＬＥＤの点滅間隔と同じであることを特徴とする請求項１に記載のホスト機器。
【請求項３】
前記表示手段は、
前記ホスト機器の有する接続されたデバイス機器を示すＬＥＤの点灯色が前記デバイス機器の有する接続されたホスト機器を示す独自のＬＥＤの点灯色と同じであることを特徴とする請求項１又は２に記載のホスト機器。
【請求項４】
ホスト機器とデバイス機器とが無線接続され、前記ホスト機器により前記デバイス機器を制御するシステムであって、
前記ホスト機器は、
電源投入時に、前記ホスト機器が保持している接続デバイス情報を取得する情報取得手段と、
前記接続デバイス情報に基づいてペアリングされたデバイス機器に無線接続する接続手段と、
ペアリングされたデバイス機器との対応関係が分かる共通の表示をする第１の表示手段と、を有し、
前記デバイス機器は、
ペアリングされたホスト機器との対応関係が分かる共通の表示をする第２の表示手段を有する
ことを特徴とする無線接続システム。
【請求項５】
複数の前記ホスト機器と複数の前記デバイス機器との無線接続されたペアリング情報を管理する管理サーバを更に有し、
各ホスト機器は、
電源投入時に、前記管理サーバへ問い合わせて、前記ペアリング情報を取得する情報取得手段と、
前記ペアリング情報に基づいて前記デバイス機器に無線接続する接続手段と、
ペアリングされたデバイス機器との対応関係が分かる共通の表示をする第１の表示手段と、を有し、
各デバイス機器は、
ペアリングされたホスト機器との対応関係が分かる共通の表示をする第２の表示手段を有する
ことを特徴とする請求項４に記載の無線接続システム。
【請求項６】
ホスト機器とデバイス機器とが無線接続されたシステムにおいて、
前記ホスト機器の電源投入時に、前記ホスト機器が保持している接続デバイス情報を取得する第１処理と、
前記接続デバイス情報に基づいて前記ホスト機器と前記デバイス機器とを接続する第２処理と、
前記接続デバイス情報に基づいて、表示のためのパターンデータを生成する第３処理と、
前記第３処理により生成されたパターンデータに基づいて、ペアリングされている前記ホスト機器及びデバイス機器に共通の表示する第４処理と、
を有することを特徴とする無線接続された機器間の視認方法。
【請求項７】
ホスト機器とデバイス機器とが無線接続されたシステムにおいて、
前記ホスト機器の電源投入時に、前記ホスト機器が保持している接続デバイス情報を取得する第１処理と、
前記接続デバイス情報に基づいて前記ホスト機器と前記デバイス機器とを接続する第２処理と、
前記接続デバイス情報に基づいて、表示のためのパターンデータを生成する第３処理と、
前記第３処理により生成されたパターンデータに基づいて、ペアリングされている前記ホスト機器及びデバイス機器に共通の表示する第４処理と、
をホスト機器のコンピュータに実行させるプログラム。
【発明の詳細な説明】
【技術分野】
【０００１】
本発明は、ホスト機器、無線接続システム、無線接続された機器間の視認方法及びプログラムに関する。
【背景技術】
【０００２】
パソコン(Personal Computer)等のホスト機器と、キーボードやスキャナ等のデバイス機器とをブルーツース（Bluetooth（登録商標））等の近距離無線通信で接続し、ホスト機器からデバイス機器を制御することが広く行われている。
【０００３】
特許文献１には、家電向けの近距離無線通信規格の一つであるブルーツース技術を用いた情報配信システムが提案されている。又、特許文献２には、ブルーツース接続におけるペアリングの概念が紹介されている。
【先行技術文献】
【特許文献】
【０００４】
【特許文献１】特開２０１３−５４７１４号公報
【特許文献２】特開２０１１−４４１５３号公報
【発明の概要】
【発明が解決しようとする課題】
【０００５】
ブルーツースは、家電向けのパーソナルユースを目的とした近距離無線通信の規格であるため、１台のホスト機器と１台のデバイス機器との接続を想定している。
【０００６】
しかし、業務環境では、同一機種のホスト機器及び同一機種のデバイス機器を同じ場所で複数台使用している。しかも、各ホスト機器及びデバイス機器の管理者が固定されていない。そのため、このような業務環境では、どのホスト機器とどのデバイス機器がブルーツース通信によりペアリングされているかが分からなくなることがある。
【０００７】
本発明は、上記課題に鑑み、ホスト機器に対してペアリングされているデバイス機器を視認できるホスト機器、無線接続システム、無線接続された機器間の視認方法及びプログラムを提供することを目的とする。
【課題を解決するための手段】
【０００８】
本発明の第１の側面のホスト機器は、デバイス機器と無線接続されて使用するホスト機器であって、電源投入時に、前記ホスト機器が保持している接続デバイス情報を取得する情報取得手段と、前記接続デバイス情報に基づいてペアリングされたデバイス機器に無線接続する接続手段と、ペアリングされたデバイス機器との対応関係が分かる共通の表示をする表示手段と、を有することを特徴とする。
【０００９】
第２の側面の無線接続システムは、複数のホスト機器と複数のデバイス機器とが無線接続され、前記ホスト機器により前記デバイス機器を制御するシステムであって、各ホスト機器は、電源投入時に、前記ホスト機器が保持している接続デバイス情報を取得する情報取得手段と、前記接続デバイス情報に基づいてペアリングされたデバイス機器に無線接続する接続手段と、ペアリングされたデバイス機器との対応関係が分かる共通の表示をする第１の表示手段と、を有し、前記デバイス機器は、ペアリングされたホスト機器との対応関係が分かる共通の表示をする第２の表示手段を有することを特徴とする。
【００１０】
第３の側面の無線接続された機器間の視認方法は、ホスト機器とデバイス機器とが無線接続されたシステムにおいて、前記ホスト機器の電源投入時に、前記ホスト機器が保持している接続デバイス情報を取得する第１処理と、前記接続デバイス情報に基づいて前記ホスト機器と前記デバイス機器とを接続する第２処理と、前記接続デバイス情報に基づいて、表示のためのパターンデータを生成する第３処理と、前記第３処理により生成されたパターンデータに基づいて、ペアリングされている前記ホスト機器及びデバイス機器に共通の表示する第４処理と、を有することを特徴とする。
【００１１】
第４の側面のプログラムは、前記第１処理〜前記第４処理をホスト機器のコンピュータに実行させるものである。
【発明の効果】
【００１２】
本発明によれば、ホスト機器は、ペアリングされたデバイス機器との対応関係が分かるように、共通のパターンデータに従ってデバイス機器と共通の表示をする。そのため、ホスト機器に対してペアリングされているデバイス機器を、雑然と保管されている複数のデバイス機器の中から容易に視認することができる。
【図面の簡単な説明】
【００１３】
【図１】ホスト機器とデバイス機器の保管状況を説明する図である。
【図２】本発明の実施形態の無線接続システムの概略を示すシステム構成図である。
【図３】図１の無線接続システムにおけるホスト機器及びデバイス機器の表示例を示す図である。
【図４】図１の無線接続システムの初回接続処理を示すシーケンスチャートである。
【図５】図１の無線接続システムのペアリング後の接続、視認動作を示すシーケンスチャートである。
【発明を実施するための形態】
【００１４】
以下、図面に従って本発明の実施形態を説明する。
【００１５】
（実施形態の構成）
図１は、ホスト機器とデバイス機器の保管状況を説明する図である。
【００１６】
複数のホスト機器１０（＝１０−１、１０−２、１０−３、１０−４、１０−５）が、ホスト機器１０に内蔵されている二次電池を充電するホスト機器用充電台３０の上に順番に置かれ、ホスト機器用充電台３０から各ホスト機器１０への充電が行われている。一般に、ホスト機器１０は、デバイス機器２０に比べ、消費電力が大きいため、ホスト機器用充電台３０の上に順番に置かれることが多い。
【００１７】
一方、複数のデバイス機器２０（＝２０−１、２０−２、２０−３、２０−４、２０−５）は、デバイス機器置場４０に雑然と置かれていることが多い。
【００１８】
このようなホスト機器１０とデバイス機器２０の保管状況の場合、従来の無線接続システムでは、ペアリングされたホスト機器１０とデバイス機器２０との組と、他のペアリングされたホスト機器とデバイス機器との組と、を区別する表示を行っていない。そのため、図１に示されたような保管状況の業務環境では、ペアリングしたホスト機器１０とデバイス機器２０との組み合わせが分からなくなるという課題があった。
【００１９】
図２は、本発明の実施形態の無線接続システムの概略を示すシステム構成図である。
本実施形態の無線接続システムは、ホスト機器１０とデバイス機器２０とがブルーツース等の近距離無線通信によりペアリング接続されている。
【００２０】
ホスト機器１０は、制御部１１と、演算部１２と、記憶部１３と、操作部１４と、無線通信部１５と、アンテナ１６と、ディスプレィ等の表示部１７とを有し、これらが内部バス１８を介して相互に接続されている。
【００２１】
制御部１１は、ホスト機器１０の全体を制御するものである。演算部１２は、ペアリングされたホスト機器１０とデバイス機器２０との対応関係が分かる共通の表示のためのパターンデータを生成するパターン生成部としての機能を有している。記憶部１３は、自らの装置と接続可能なデバイス機器の情報である接続デバイス情報を記憶するメモリ領域である。操作部１４は、操作を受け付けるマンマシンインタフェースであり、例えば、テンキー等である。
【００２２】
無線通信部１５は、近距離無線通信を行うものであり、図示しない送受信部を含み、例えば、ブルーツースの通信プロトコルに従って動作する。アンテナ１６は、デバイス機器２０のアンテナ２６と近距離無線通信を行う空中線であり、内蔵アンテナであってもよい。
【００２３】
表示部１７は、ホスト機器１０の操作ガイドやペアリングされたデバイス機器２０のアドレスの表示及びデバイス機器２０との対応関係が分かる共通の表示をする表示手段であり、例えば、ディスプレィである。
【００２４】
尚、制御部１１、演算部１２等は、記憶部１３から後述する処理を実行するプログラムを読み出して、ＣＰＵ（Central Processing Unit）等のコンピュータにより実行させるようにしてもよい。
【００２５】
デバイス機器２０は、例えば、バーコードスキャナであり、制御部２１と、演算部２２と、記憶部２３と、操作部２４と、無線通信部２５と、アンテナ２６と、ＬＥＤ等の表示部２７と、バーコード読取部２８と、を有し、これらが内部バス２９を介して相互に接続されている。
【００２６】
制御部２１は、デバイス機器２０の全体を制御するものである。演算部２２は、ペアリングが成立したホスト機器１０から送信されてくるパターンデータを解読するパターン解読部としての機能を有している。記憶部２３は、自らの装置と接続可能なホスト機器１０の情報である接続ホスト情報を記憶するメモリ領域である。操作部２４は、操作を受け付けるマンマシンインタフェースであり、例えば、電源キー、読取トリガキー等である。
【００２７】
無線通信部２５は、近距離無線通信を行うものであり、図示しない送受信部を含み、例えば、ブルーツースの通信プロトコルに従って動作する。アンテナ２６は、ホスト機器１０のアンテナ１６と近距離無線通信を行う空中線であり、内蔵アンテナであってもよい。
【００２８】
表示部２７は、ペアリングされたホスト機器１０との対応関係が分かる共通の表示をする表示手段であり、例えば、赤（Ｒ）、緑（Ｇ）、青（Ｂ）の発光ダイオード（ＬＥＤ）等である。
【００２９】
更に、バーコード読取部２８は、バーコードに光を照射して反射光によりバーコードを読み取るものであり、例えば、スキャナである。
【００３０】
尚、制御部２１、演算部２２等は、記憶部２３から後述する処理を実行するプログラムを読み出して、ＣＰＵ（Central Processing Unit）等のコンピュータにより実行させるようにしてもよい。
【００３１】
図３は、図１の無線接続システムにおけるホスト機器及びデバイス機器の表示例を示す図である。
【００３２】
図３の（ａ）には、ホスト機器１０の概略の外観が示されており、ディスプレィ１７の右上隅には、ペアリングされたデバイス機器２０との対応関係が分かる表示を行う表示領域１７ａが設けられている。更に、ディスプレィ１７の右側には、操作部としてのテンキー１４が設けられている。図３（ｂ）には、図３（ａ）中の表示領域１７ａの拡大図が示されている。表示領域１７ａには、ディスプレィ１７上の右上隅の領域にソフトウェアにより、図３（ｂ）に示されたように、左から右に、赤、緑、青の表示が、生成されたパターンデータに従って、点灯／点滅をする。
【００３３】
図３（ｃ）には、デバイス機器２０の概略の外観が示されており、装置上部に表示部としてのＲＧＢの３色のＬＥＤ２７と、装置下部に操作部２４としての電源キー２４ａと、装置中央部に操作部２４としての読取トリガキー２４ｂと、を有している。図３（ｄ）には、図３（ｃ）中の３色のＬＥＤ２７の拡大図が示されている。３色のＬＥＤ２７は、上から下に、赤、緑、青の表示が、ペアリングされたホスト機器１０から送信されてくるパターンデータに従って、点灯／点滅をする。
【００３４】
ペアリングされたホスト機器１０とデバイス機器２０とは、同一のパターンデータに従って、赤、緑、青の表示が点灯／点滅をするので、ホスト機器１０とペアリングされているデバイス機器２０を視認することができる。
【００３５】
図３（ｂ）及び図３（ｄ）では、赤、緑、青の３色表示の例を示したが、表示方法は、赤、緑、青の３色表示に限定されない。同一の業務環境で用いるホスト機器１０及びデバイス機器２０の台数に応じて、表示色の色数の変更、点滅間隔、点灯パターン等を適宜、変更してもよい。
【００３６】
（実施形態の動作）
実施形態の動作について、（Ｉ）本実施形態の初回接続処理の動作と、（II）ペアリング後の接続、視認動作と、に分けて説明する。
【００３７】
（Ｉ）本実施形態の初回接続処理の動作
図４は、図１の無線接続システムにおける接続機器間の初回接続処理を示すシーケンスチャートである。
【００３８】
図２及び図３を参照しつつ、図４のシーケンスチャートに沿って、図１の無線接続システムの初回接続処理を説明する。
【００３９】
ホスト機器１０の電源が初期投入されると、初回接続のペアリング接続処理が開始される。ステップＳ１において、ホスト機器１０は、周辺の全てのデバイス機器２０に対して、例えば、ブルーツースの通信プロトコルに従って、ペアリングの問合せを行う。ステップＳ２において、未だホスト機器１０とペアリングが成立していないデバイス機器２０は、初回接続の問合せを受信すると、ステップＳ３へ進み、自らのBluetoothアドレスを応答返信する。
【００４０】
ステップＳ４において、ホスト機器１０は、応答を返信したデバイス機器２０のアドレスを取得する。ステップＳ２〜Ｓ４において、未だホスト機器１０とペアリングが成立していないデバイス機器２０が複数台ある場合には、ステップＳ４において、ホスト機器１０は、応答を返信した複数台のデバイス機器２０のアドレスを取得する。
【００４１】
ステップＳ５において、ホスト機器１０は、ディスプレィ１７に、取得した複数台のデバイス機器２０を一覧表示し、ステップＳ６へ進む。ステップＳ６において、接続先のデバイス機器２０が選択されると、ステップＳ７へ進む。
【００４２】
ステップＳ７において、ホスト機器１０は、選択された接続先のデバイス機器２０のアドレスに対して接続要求を送信する。ステップＳ８において、選択されたアドレスのデバイス機器２０は、接続要求を受信すると、ステップＳ９へ進む。ステップＳ９において、デバイス機器２０は、“接続可”の応答を返信し、ステップＳ１０へ進む。
【００４３】
ステップＳ１０において、ホスト機器１０は、選択したアドレスのデバイス機器２０からの“接続可”の応答を受信すると、無線接続を完了し、ステップＳ１１へ進む。ステップＳ１１において、ホスト機器１０は、ペアリングが成立したデバイス機器２０のアドレスを接続デバイス情報として記憶部１３に保存して、ペアリングの接続処理を終了する。
【００４４】
（II）ペアリング後の接続、視認動作
図５は、図１の無線接続システムにおけるペアリング後の接続、視認動作を示すシーケンスチャートである。
【００４５】
図２及び図３を参照しつつ、図５のシーケンスチャートに沿って、図１の無線接続システムのペアリング後の接続、視認動作を説明する。
【００４６】
ペアリング成立後のホスト機器１０の電源が投入されると、視認動作の処理が開始され、ステップＳ２１において、ホスト機器１０は、記憶部１３からペアリングされているデバイス機器２０のアドレス（接続デバイス情報）を取得し、ステップＳ２２へ進む。ステップＳ２２において、ホスト機器１０は、取得したアドレスのデバイス機器２０に対し接続要求を送信すると、ステップＳ２３へ進む。ステップＳ２３において、デバイス機器２０は、接続要求を受信すると、ステップＳ２４へ進む。ステップ２４において、接続要求を受けたデバイス機器２０は、“接続可”の応答を返信し、ステップＳ２５へ進む。ステップＳ２５において、ホスト機器１０は、接続完了し、ステップＳ２６へ進む。
【００４７】
ステップＳ２６において、ホスト機器１０の演算部１２は、接続先アドレス（接続デバイス情報）からパターンデータを生成し、ステップＳ２７へ進む。
【００４８】
ステップＳ２７において、ホスト機器１０は、接続先のデバイス機器２０へ生成したパターンデータを送信し、ステップＳ２８へ進む。ステップＳ２８において、デバイス機器２０は、パターンデータを受信し、ステップＳ２９へ進む。ステップＳ２９において、デバイス機器２０は、パターンデータの受信完了の応答を返信し、ステップＳ３１へ進み、表示部２７にパターンデータに従った表示を開始させ、ステップＳ３３へ進む。
【００４９】
一方、ステップＳ３０において、ホスト機器１０は、応答を受信すると、ステップＳ３２へ進み、ディスプレィ１７上の表示領域１７ａにパターンデータに従った表示を開始させ、ステップＳ３５へ進む。ステップＳ３１におけるデバイス機器２０の表示部２７の表示は、ステップＳ３２におけるホスト機器１０のディスプレィ１７上の表示領域１７ａの表示と点灯／点滅の周期が同期したものとなる。パターンデータに従った共通の表示は、例えば、ホスト機器１０との接続先アドレスが００１であれば、赤色を連続点灯し、接続先アドレスが００２であれば、緑色を連続点灯し、接続先アドレスが００３であれば、赤色と緑色の２色を連続点灯する。
【００５０】
ステップＳ３３において、視認確認が完了し、デバイス機器２０のバーコード読取部２８によりバーコードが読み取られると、ステップＳ３４へ進む。ステップＳ３４において、表示部２７の表示を完了し、表示の完了通知をホスト機器１０へ送信し、ステップＳ３６へ進む。
【００５１】
ステップＳ３５において、ホスト機器１０は、デバイス機器２０からの完了通知を受信すると、ディスプレィ１７上の表示領域１７ａの表示を完了し、ステップＳ３７へ進む。ステップＳ３６において、デバイス機器２０は、バーコード読取部２８で読み取ったバーコードの読取データをホスト機器１０へ送信する。
【００５２】
ステップＳ３７において、ホスト機器１０は、記憶部１３にバーコードデータを記憶し、処理を終了する。
【００５３】
（実施形態の効果）
本発明の実施形態によれば、ペアリングが成立しているホスト機器１０の表示領域１７ａとデバイス機器２０の表示部２７とで、共通のパターンデータに従って、対応関係が分かる共通の表示がされる。そのため、ホスト機器１０とペアリングが成立しているデバイス機器２０を視認することができる。
【００５４】
例えば、図１中のホスト機器１０−２のディスプレィ１７上の表示領域１７ａの表示と、デバイス機器置場４０に雑然と置かれているデバイス機器２０−３の表示部２７の表示との点灯／点滅の周期が同期していれば、ホスト機器１０−２とペアリングされているのは、デバイス機器２０−３であることを直ちに視認することができる。
【００５５】
（変形例）
本発明の実施形態の説明では、ホスト機器１０とデバイス機器２０とを接続する近距離無線通信として、ブルーツース通信を例に挙げたが、本発明は、通信プロトコルの定められている他の近距離無線通信にも適用が可能である。
【００５６】
又、デバイス機器２０として、スキャナを例に挙げたが、デバイス機器２０はスキャナに限定されない。ホスト機器１０と通信プロトコルの定められている近距離無線通信により接続されて、ホスト機器１０とペアリングして使用する機器、例えば、プリンタ等にも適用可能である。
【００５７】
更に、図１に示された複数のホスト機器１０と複数のデバイス機器２０とを有する保管環境に、ホスト機器１０とデバイス機器２０とのペアリング情報を管理する管理サーバを追加し、各ホスト機器１０は、電源投入時に、管理サーバからペアリング情報を取得して、ペアリングされたデバイス機器２０へ接続要求を送信し、共通のパターンデータに従って対応関係が分かる共通の表示をするようにしてもよい。
【００５８】
以上、本発明の実施形態について説明したが、本発明は、以上に述べた実施形態に限定されるものではなく、本発明の要旨を逸脱しない範囲内で種々の構成又は実施形態を取ることができる。
【符号の説明】
【００５９】
１０，１０−１，・・・，１０−５              ホスト機器
２０，２０−１，・・・，２０−５              デバイス機器
１１、２１                                    制御部
１２、２２                                    演算部
１３、２３                                    記憶部
１４                                          操作部（テンキー）
２４                                          操作部
２４ａ                                        電源キー
２４ｂ                                        読取トリガキー
１５、２５                                    無線通信部
１６、２６                                    アンテナ
１７                                          表示部（ディスプレィ）
１７ａ                                        表示領域
１８、２９                                    内部バス
２７                                          表示部（ＬＥＤ）
２８                                          バーコード読取部
【図１】
2015176445.tif 000003
【図２】
2015176445.tif 000004
【図４】
2015176445.tif 000005
【図５】
2015176445.tif 000006
【図３】
2015176445.tif 000007